(57)【特許請求の範囲】
【請求項１】
手前側を開閉自在としているクローゼットの奥側の壁面の内側に、奥側の壁面と間隔をおいて対面させて配設した通気性を有するパネルと、該間隔内の空気を吸引できる送風ファンと、該送風ファンで吸引した空気をクロ−ゼットの外部に排出するための排気路と、排気路の途中に消臭剤保持部とを有していて、送風ファンによって、クローゼットの奥側の壁面の内側に奥側の壁面と間隔をおいて対面させて配設した通気性を有するパネルの手前側にあるクローゼット収納部内の空気を、前記パネルを通して前記間隔内に導き、さらに消臭剤保持部を有する排気路を通してクロ−ゼットの外部に排気するようにしたクローゼット。
【請求項２】
クローゼットの奥側の壁面に、湿度を吸放湿する調湿材料を配設していることを特徴とする請求項１記載のクローゼット。
【請求項３】
クロ−ゼットの外部と、前記パネルの手前側にあるクローゼット収納部とを連通する通気路を設けると共に、この通気路中に揮発性薬効成分を含有した材料を保持していることを特徴とする請求項１又は請求項２記載のクローゼット。
【発明の詳細な説明】
【０００１】
【発明の属する技術分野】
本発明は、衣類・寝具等を収納・保管するクロ−ゼットであって、クロ−ゼット内の空気をクローゼット外に排気できる換気機能を有するクロ−ゼットに関する。
【０００２】
【従来の技術】
手前側を開閉自在としている従来のクロ−ゼット１は、その一例を図４に示すように、扉を閉じた場合完全な閉空間であり、扉の開放や開け閉めがない限りは、クロ−ゼット内には空気が滞留し、周囲壁面が低温になると滞留空気の湿度が上昇したり、結露を生じたりすることがある。このような状態になった場合には、クロ−ゼット１内が、カビの繁殖や、衣類を食害する虫の生育しやすい環境となり、収納している衣類等が食害されたり、汚染したり、或いはクロ−ゼット内に臭気がこもり、その臭気が収納物に移るというような問題が発生する傾向があった。なお、図４は分解斜視図であり、折りたたみ可能な扉２をクロ−ゼット１から分解した状態を示していて、クローゼット１の奥側の壁面３の内側の領域Ａが、湿度が高くなったり、結露しやすくなったりする部分である。
【０００３】
【発明が解決しようとする課題】
本発明は、上記問題点を改善するために成されたもので、その目的とする所は、扉を閉じた状態でも、クロ−ゼット内の空気をクローゼット外に排気できて、クロ−ゼット内の収納物の保管環境を良好に維持できる、換気機能を有するクロ−ゼットを提供することにある。
【０００４】
【課題を解決するための手段】
請求項１に係る発明のクロ−ゼットは、手前側を開閉自在としているクローゼットの奥側の壁面の内側に、奥側の壁面と間隔をおいて対面させて配設した通気性を有するパネルと、該間隔内の空気を吸引できる送風ファンと、該送風ファンで吸引した空気をクロ−ゼットの外部に排出するための排気路と、排気路の途中に消臭剤保持部とを有していて、送風ファンによって、クローゼットの奥側の壁面の内側に奥側の壁面と間隔をおいて対面させて配設した通気性を有するパネルの手前側にあるクローゼット収納部内の空気を、前記パネルを通して前記間隔内に導き、さらに消臭剤保持部を有する排気路を通してクロ−ゼットの外部に排気するようにしたクローゼットである。
【０００５】
請求項１に係る発明では、送風ファンによって、パネルの手前側にあるクローゼット収納部内の空気を、パネルを通してパネルと奥側の壁面間の間隔内に導き、さらに排気路を通してクロ−ゼットの外部に排気するようにしているので、収納物を保管する環境を良好に維持することが可能となる。さらに、排気路の途中に、消臭剤保持部を形成していて、この消臭剤保持部中に例えばハニカム状の活性炭等の消臭機能を有する材料を配置することにより、排気路の出口である排気口から排出される排気の臭気を低減できる。
【０００６】
請求項２に係る発明のクロ−ゼットは、クローゼットの奥側の壁面に、湿度を吸放湿する調湿材料を配設していることを特徴とする請求項１記載のクローゼットである。
【０００７】
請求項２に係る発明では、調湿材料によって、奥側の壁面の結露が防止されるので、収納物を保管する環境をより良好に維持することが可能となる。
【０００８】
請求項３に係る発明のクロ−ゼットは、クロ−ゼットの外部と、前記パネルの手前側にあるクローゼット収納部とを連通する通気路を設けると共に、この通気路中に揮発性薬効成分を含有した材料を保持していることを特徴とする請求項１又は請求項２記載のクローゼットである。
【０００９】
請求項３に係る発明では、クロ−ゼットの外部と、パネルの手前側にあるクローゼット収納部とを連通する通気路を設けると共に通気路中に揮発性薬効成分を含有した材料を保持しているので、収納物を保管する環境をより良好に維持することが可能となる。
【００１０】
【発明の実施の形態】
以下に本発明の実施の形態を図面に基づいて説明する。
【００１１】
図１は本発明に係るクローゼットの第１実施形態の要部を示す斜視図である。この実施の形態のクロ−ゼット１は、手前側に開閉自在な扉を備えていて、扉を開閉してクロ−ゼット１内の収納物を出し入れするようにしている。なお、クローゼット１に備える開閉自在な扉は図１では省略している。そして、図１に示すように、クローゼット１の奥側の壁面３の内側に、奥側の壁面３と間隔４をおいて対面させて通気性を有するパネル５を配設している。この実施形態におけるパネル５は、多数の穴を全面に形成していて、例えば木質部材で形成することができる。そして、パネル５と、奥側の壁面３との間にある間隔４内の空気を吸引できる送風ファン６と、この送風ファン６で吸引した空気をクロ−ゼット１の外部に排出するための排気路７とを、この実施の形態のクロ−ゼット１は有していて、送風ファン６を駆動させることによって、パネル５の手前側にあるクローゼット収納部８内の空気を、パネル５の多数の穴を通して間隔４内に導き、さらに排気路７を通してクロ−ゼットの外部に、排気口９から排気するようにしている。
【００１２】
さらに、この第１実施形態のクロ−ゼット１は、排気路７の途中に、消臭剤保持部１０を形成していて、この消臭剤保持部１０中に例えばハニカム状の活性炭等の消臭機能を有する材料を配置することにより、排気路７の出口である排気口９から排出される排気の臭気を低減できるようにしている。
【００１３】
第１実施形態のクロ−ゼット１は、上記の構成を備えているので、扉を閉じた状態でも、パネル３の手前側にあるクローゼット収納部８内の空気をクローゼット１外に排気でき、従って、クロ−ゼット１内の収納物の保管環境を、湿度上昇がしにくくて、カビの繁殖や、衣類を食害する虫の生育が防止される良好な環境に維持できる、換気機能を有するクロ−ゼットとなる。さらに、排気路７の途中に、消臭剤保持部１０を形成していて、この消臭剤保持部１０中に例えばハニカム状の活性炭等の消臭機能を有する材料を配置することにより、排気路７の出口である排気口９から排出される排気の臭気を低減できるようにしている。
【００１４】
図２は本発明に係るクローゼットの第２実施形態の要部を示す斜視図である。この第２実施形態のクローゼット１は、上述の第１実施形態のクロ−ゼットにおけるクローゼット１の奥側の壁面３に湿度を吸放湿する調湿材料として調湿板１１を配設していて、それ以外は上述の第１実施形態のクロ−ゼットと同じ構成にしている。調湿板１１としては、例えば厚さが１５ｍｍ程度の珪藻土混入珪酸カルシウム板を使用できるが、湿度を吸放湿する調湿材料で形成されている板であればよい。壁面３への調湿板１１の取り付けについては、接着剤やビス等を用いて固定すればよく、特に限定はない。
【００１５】
第２実施形態のクロ−ゼットは、上記の構成を備えているので、扉を閉じた状態でも、クローゼット収納部８内の空気をクローゼット１外に排気できて、クロ−ゼット１内の収納物の保管環境を良好に維持できる、換気機能を有するクロ−ゼットとなると共に、調湿材料によって、奥側の壁面３の結露が防止されるので、収納物を保管する環境をより良好に維持することが可能となる。
【００１６】
図３は本発明に係るクローゼットの第３実施形態の要部を示す斜視図であり、図３はクローゼットを手前側から見て、右側に位置する側壁面部を示している。この第３実施形態のクローゼットは、上述の第１実施形態のクロ−ゼットにおける、手前側から見て右側に位置する側壁面部に、クロ−ゼットの外部と、パネル５（図３では省略）の手前側にあるクローゼット収納部８とを連通する通気路１２を設けると共に通気路１２中に揮発性薬効成分を含有した材料を保持している通気性収納室１３を設けている。そして、上記以外の構成は、図１に示す第１実施形態のクローゼット１と同様の構成を備えている。
【００１７】
そのため第３実施形態のクローゼットでは、送風ファン６を駆動させることによって、第１実施形態と同様にパネル５（図３では省略）の手前側にあるクローゼット収納部８内の空気を、パネル５（図３では省略）の多数の穴を通して間隔４（図３では省略）内に導き、さらに排気路７を通してクロ−ゼットの外部に、排気口９から排気する。そして、送風ファン６を駆動させることによって、右側の側壁の上部に設けた通気路１２の吸込み口１４から、クロ−ゼット１の外部の空気が吸い込まれ、この吸い込まれた外気は通気路１２中の通気性収納室１３を経由して、放出口１５から、クローゼット収納部８内に供給されるようになっている。この第３実施形態のクローゼットでは、通気路１２中に設けている通気性収納室１３に、揮発性薬効成分を含有した材料を保持するようにしているので、収納物を保管する環境をより良好に維持することが可能となる。揮発性薬効成分を含有した材料の種類については、居住者の好み・目的に応じて適宜選択すればよいが、例えば、細菌などの微生物を抑制する作用を持つフィトンチッド、虫の忌避ができるハーブ、市販の防虫剤、市販の芳香剤等の薬剤又はこれらの薬剤を含んだ材料等から選択すればよい。そして、この第３実施形態のクローゼットでは、揮発性薬効成分を含有した材料の効き目が薄くなった場合には、新しい揮発性薬効成分を含有した材料に入れ替えができるように、通気性収納室１３に開閉可能な蓋を備えている。
【００１８】
【発明の効果】
請求項１に係る発明のクローゼットは、送風ファンによって、パネルの手前側にあるクローゼット収納部内の空気を、パネルを通してパネルと奥側の壁面間の間隔内に導き、さらに排気路を通してクロ−ゼットの外部に排気するようにしているので、扉を閉じた状態でも、クロ−ゼット内の空気をクローゼット外に排気できて、クロ−ゼット内の収納物の保管環境を良好に維持できる、換気機能を有するクロ−ゼットとなる。さらに、排気路の途中に、消臭剤保持部を形成していて、この消臭剤保持部中に例えばハニカム状の活性炭等の消臭機能を有する材料を配置することにより、排気路の出口である排気口から排出される排気の臭気を低減できるようにしている。
【００１９】
請求項２に係る発明のクローゼットは、クローゼットの奥側の壁面に配設する調湿材料によって、奥側の壁面の結露が防止されるので、クロ−ゼット内の収納物の保管環境をより良好に維持できる、換気機能を有するクロ−ゼットとなる。
【００２０】
請求項３に係る発明でのクローゼットは、クロ−ゼットの外部と、パネルの手前側にあるクローゼット収納部とを連通する通気路を設け、且つ、通気路中に揮発性薬効成分を含有した材料を保持するようにしているので、クロ−ゼット内の収納物の保管環境をより良好に維持できる、換気機能を有するクロ−ゼットとなる。
【図面の簡単な説明】
【図１】第１実施形態の要部を示す斜視図である。
【図２】第２実施形態の要部を示す斜視図である。
【図３】第３実施形態の要部を示す斜視図である。
【図４】クローゼットの従来例を説明するための分解斜視図である。
【符号の説明】
１  クローゼット
２  扉
３  奥側の壁面
Ａ  領域
４  間隔
５  パネル
６  送風ファン
７  排気路
８  クローゼット収納部
９  排気口
１０  消臭剤保持部
１１  調湿板
１２  通気路
１３  通気性収納室
１４  吸込み口
１５  放出口
【図１】
0003711919.tif 000002
【図２】
0003711919.tif 000003
【図３】
0003711919.tif 000004
【図４】
0003711919.tif 000005